Podtech/llm-jp-corpus-v4-ja_patent huggingface dataset:
(57)【要約】      （修正有）【課題】菓子類とカップ飲料が必要な時に同時に摂取出来るものを提供する。【解決手段】飲料用容器１の蓋２の外側上部３に予め袋状物に収納した菓子類４を担持させるものである。そしてこの様な容器に飲料を注入し、蓋を閉めて製品とすれば良い。尚菓子類を収納した袋状物は、飲料を容器に注入し、蓋を閉めてから蓋に担持させても良い。【選択図】図１
0003136939.tif 000002
【実用新案登録請求の範囲】
【請求項１】
飲料用有蓋容器に於いて、その蓋の少なくとも一部に菓子類が担持されていることを特徴とする飲料用有蓋容器
【請求項２】
菓子類が袋状物に収納されている請求項１に記載の容器
【請求項３】
菓子類が蓋の外側上部に担持されている請求項１又は２に記載の容器
【請求項４】
菓子類が蓋の内側下部に担持されている請求項１又は２に記載の容器
【請求項５】
菓子類が蓋の内部に担持されている請求項１又は２に記載の容器
【請求項６】
飲料が酒類、ビール類、飲料水、お茶、コーヒー類、ジュース類、コーラー、その他ドリンク用液体である請求項１〜６のいずれかに記載の容器
【請求項７】
容器がアルミニウム製、ガラス製、防水紙製、又は合成樹脂製（ペットボトルを含む）である請求項１〜６のいずれかに記載の容器
【請求項８】
飲料用容器に於いて、該容器の少なくとも一部に菓子類が担持されていることを特徴とする飲料用容器
【考案の詳細な説明】
【技術分野】
【０００１】
本考案は飲料用有蓋容器に関し、更に詳しくは菓子類がその蓋に担持されている飲料用有蓋容器に関する。
【背景技術】
【０００２】
従来飲料用液体たとえば酒類やビールを容器通常カップに収納したものが広く賞用されており、自動販売機や店で販売されている。そしてこれ等容器（カップ）は通常蓋があり、蓋を空けて摂取されるのが大半である。
【０００３】
お酒等では、所謂酒臭が口中や体臭となって他人に不快感を与えることがあったり、消臭の必要な場合が生じることが多い。
【０００４】
一方最近口臭、体臭、加齢臭、便臭等の消臭に効果のある菓子類が開発され、更には、良好なリラックス感が得られるような菓子や、ダイエット菓子等も開発されている。
【０００５】
また酒類の様に酒の臭いが生じる飲料とは異なって、元来臭いが生じない飲料、たとえばジュース、コーラー、コーヒー等もあるが、これ等飲料の種類に無関係に、体臭の除去や、リラックス感、ダイエット効果等の優れた作用を、飲料用容器に賦与出来れば、極めて望ましいことである。
【０００６】
上記の如き菓子類の作用を賦与することが出来れば極めて望ましいことであるが、現在全く開発されておらず、その実現が望まれている。
【考案の開示】
【考案が解決しようとする課題】
【０００７】
上記飲料カップの要望を実現することであり、これを換言すると、菓子類とカップ飲料が必要な時に同時に摂取出来るものを開発することである。
【課題を解決するための手段】
【０００８】
この課題は、飲料用有蓋容器に於いて、その蓋の少なくとも一部に菓子類を担持させることにより解消される。
【０００９】
本考案に於いては、たとえば図１に示す通り、飲料用容器１の蓋２の外側上部３に予め袋状物に収納した菓子類４を担持させるものである。そしてこの様な本考案容器に飲料を注入し、蓋を閉めて製品とすれば良い。尚菓子類を収納した袋状物は、飲料を容器に注入し、蓋を閉めてから蓋に担持させても良い。
【００１０】
この担持手段は何等限定されず、確実に担持される限り各種の手段が広く採用され、最も代表的には、適宜な接着剤を用いて、貼付する手段である。
【００１１】
また図２に示す通り、蓋２の内側下部５に担持させても良い。
【考案の効果】
【００１２】
本考案に於いては、飲料用容器の蓋に、菓子類が担持されているので、容器内の飲料と共にいつでも菓子類を摂取することが出来る。
【考案を実施するための最良の形態】
【００１３】
本考案の容器は、従来飲料用容器として使用されて来たもので、有蓋のものがいずれも有効に使用出来る。その一例を示せば、アルミニウム製、ガラス製、合成樹脂製のものや、ペットボトル等も使用出来、更には防水性のある紙製のものでも良い。
【００１４】
蓋の外側又は内側の適当な箇所に菓子類を担持させるが、蓋が２層以上の積層体の場合は、その積層間に担持させても良い。担持手段は特に限定されず、担持出来る手段であれば良く、たとえば接着剤で貼りつけたり、ホッチキスで止めたり或いはその他、両面ノリテープ、マジックテープ(登録商標）、ジッパーの様な手段でも良い。
【００１５】
本考案に於いて、飲料とは酒類、ビール類、飲料水、お茶、コーヒー、ジュース類、コーラー、その他ドリンクと称されるものが広く包含される。酒類とは、泡盛、焼酎、ワイン、ウイスキー等和酒及び洋酒が含まれている。
【００１６】
本考案に於いて菓子類は、錠剤状、その他粒状、丸剤状等にして通常袋状物に収納して担持させるのが好ましい。
【００１７】
本考案のお菓子類としては、消臭作用を有する所謂エチケットタイプの菓子類、良好なリラックス感が得られるリラックスタイプの菓子類、ナノテクカプセル使用のダイエット菓子類等を代表例として例示出来る。この菓子類は錠剤その他の上記形状で３〜５ｍｍ程度の大きさとしてこれを２〜６、好ましくは３〜５個程度袋状物に収納して使用するのが良い。この際その効果（効能）、内容成分、必要項目を袋状物に記入し、または記入したものを貼付する。
【００１８】
以下に上記菓子類について、更に詳しく説明する。
【００１９】
（イ）エチケットタイプの菓子類
清涼菓子とも称され、ビタミンＣを含有し、植物性口臭、ニンニク臭、便臭、体臭、アルコール臭等の除去作用を有するもの。
【００２０】
（ロ）リラックスタイプの菓子類
みどりの香り、エチケットタイプの菓子として知れれており、口臭、体臭、便臭、オナラ臭、アルコール臭の除去作用のあるリラックス感の良好なもの。
【００２１】
（ハ）ナノテクカプセル使用の菓子類
これはダイエット菓子であり、メタボリックシンドローム対応用であって、ジュース、お茶、コーヒードリンクに適している。
【００２２】
本考案に於いては、上記３種の菓子類以外の菓子でも良いが、上記３種の菓子が特に好ましい。尚、本考案で使用する菓子類はすでに知られたものである。
【実施例】
【００２３】
直径８０ｍｍ高さ１００ｍｍの図１に示す形状の円錐筒状のプラスチック製の容器の蓋の外側に、「スパッＣ」（日成興産社製）なる菓子を直径５ｍｍ高さ３ｍｍの円柱状に調製し、これを３個ポリエチレン製袋に収納し、これを接着剤で貼り付けた。
【図面の簡単な説明】
【００２４】
【図１】図１は、本考案の飲料用有蓋容器の一例の説明図である。
【図２】図２は、本考案の飲料用有蓋容器の他の一例の説明図である。
【符号の説明】
【００２５】
１：  容器
２：  蓋
３：  外側上部
４：  菓子類
５：  内側下部
【図１】
0003136939.tif 000003
【図２】
0003136939.tif 000004
(57)【要約】      （修正有）【課題】フェルティングニードルを使って羊毛を刺し固めながら種々の形状を形作る時に羊毛を持つ方の手や指の刺し易い部分を防護し、作業性を損なわないようにすることができるフェルティングニードル専用指サックを提供する。【解決手段】丈夫で、柔軟性のある本皮などで形成され、指先端部に嵌着される袋状の指先保護部１と、該指先保護部より連続して延び、所要長さにわたり指内側を被覆する指内側保護部２からなると共に、指内側保護部２の中間位置に、該指内側保護部を指Ｆに安定保持する保持帯３を設けてなるフェルティングニードル専用指サック。【選択図】図２
0003136938.tif 000002
【実用新案登録請求の範囲】
【請求項１】
丈夫で、柔軟性のある素材で形成され、指先端部に嵌着される袋状の指先保護部と、該指先保護部より連続して延び、所要長さにわたり指内側を被覆する指内側保護部からなると共に、指内側保護部の中間位置に該指内側保護部を指に安定保持する保持帯を設けてなることを特徴とするフェルティングニードル専用指サック。
【請求項２】
丈夫で、柔軟性のある素材が天然又は人造の皮革である請求項１記載のフェルティングニードル専用指サック。
【考案の詳細な説明】
【技術分野】
【０００１】
本考案はフェルティングニードルを使用して羊毛繊維（以下、単に羊毛という）を刺し固めながらボールや菓子類，動物など、種々の形状を作るときに羊毛を持つ方の手や指をニードルから防護するための指サックに関するものである。
【背景技術】
【０００２】
従来より、編み，織り等を利用して種々の手芸製品を作成することが広く行なわれて来たが、近時、図３に示すようにフェルティングニードルを使用して繊維が一定方向に揃っている羊毛Ｗを塊状あるいはスライバータイプのフェルト羊毛や薄いシート状に仕上げられたシート羊毛として、これらを使ってニードルで繰り返し刺すことによって繊維を互いに絡ませ、ボールに限らず種々の動物形状やスイーツと呼ばれる菓子形状を作る手作り手芸が脚光を浴びて来た。
【０００３】
ところが、この手芸ではフェルティングニードルが使用される関係上、ニードルで羊毛を繰り返し固めるときに往々にして羊毛をもつ手や指を刺してしまい、怪我をすることがある。しかし、このような怪我に対して現在のところ適切な防護手段は見出されていない状況である。
【考案の開示】
【考案が解決しようとする課題】
【０００４】
本考案は上述の如き実状に鑑み、特にフェルティングニードルを使って羊毛を持つ方の手や指を防護すめために好適な指サックの形状を見出すことにより、作業時、刺しやすい部分を防護し、作業性を損なうことのないようにすることを目的とするものである。
【課題を解決するための手段】
【０００５】
即ち、上記目的に適合する本考案の特徴は、丈夫で、柔軟性のある素材で形成され、指先端部に嵌着される袋状の指先保護部と、該指先保護部より連続して延び、所要長さにわたり指内側を被覆する指内側保護部からなると共に、指内側保護部の中間位置に、該指内側保護部を指に安定保持する保持帯を設けてなるフェルティングニードル専用指サックよりなる。ここで、上記丈夫で柔軟性のある素材としては、通常、天然又は人造の皮革を用いることが好適である。
【０００６】
上記本考案指サックは、フェルティングニードルを使用して羊毛を刺し固めながら形作るときに、羊毛を持つ手の指、通常、人差し指の先端にその指先保護部を嵌着し、指内側保護部で指内側を被覆して使用する。このとき指サックは保持帯により指に安定して保持される。
【考案の効果】
【０００７】
本考案指サックを使用し、羊毛を持つ方の手の指に嵌着することによりフェルティングニードルを使って羊毛を刺し固めながら形作るとき、ニードルが羊毛を持つ方の指にあたっても防護され、怪我をすることなく作業を行なうことができる。
【０００８】
しかも、指先保護部に続く指内側保護部は指内側のみに被覆され、指の外側は被覆されないため指の関節の曲がりが阻害されることなく、曲がり易いと共に、羊毛が指肌に触れられるので羊毛の感触がわかり易く作業性が良好である利点を有する。
【考案を実施するための最良の形態】
【０００９】
以下、更に添付図面を参照し、本考案の具体的な実施形態について説明する。
【００１０】
図１は本考案に係る指サックＡの１態様であり、図において１は指先部に嵌着される袋状の指先保護部であり、２は該指先保護部１に連続して下方へ延び、指内側を所要長さにわたり、好ましくは指の付け根までしっかり被覆して保護する指内側保護部で、上記指内側保護部２の中間部には伸縮性のあるゴム又はゴム入り編織地よりなる保持帯３が設けられ、指サックＡを指に安定的に保持せしめるようになっている。
【００１１】
上記指先保護部１及び内側保護部２よりなる指サックＡは、丈夫で柔軟性のある素材、例えば天然又は人造皮革、特に薄くて丈夫な天然の本皮で作成することが好ましく、これによって作業性をよくすることができる。また、指内側保護部２は指の内側を被覆すればよく、指の外側は露出せしめることが作業時に指の関節を曲がり易くすると共に、羊毛が肌に触れ、感触が分かり易くなるので作業上、効果的である。
【００１２】
図２は上記指サックＡをフェルティングニードルを使って羊毛を刺し固めながら形作りを行う際、羊毛を持つ方のフェルトの人差し指Ｆに挿入し、使用する状態を示しており、指先保護部１が指先に嵌着されて指先を保護すると共に、指内側保護部２が指内側に、通常、指の付け根までしっかりと被覆して、該指内側を保護し、保持帯３によって指にそれら指サックＡをしっかり保持させている。
【００１３】
本考案指サックが刺し固める羊毛は繊維が一定方向に揃っているスライバータイプのフェルト羊毛、薄いシート状に仕上げられたシート羊毛の外、繊維が揃えられ塊状に丸められた羊毛が使用され、これら羊毛は数種の色あるいは長短の繊維を混ぜ合わせて使用し、また、風合いを粗，密適宜選択し作成することができる。
【００１４】
かくして本考案指サックの使用によりフェルティングニードルを使って羊毛を刺し固めるに際し、羊毛を持つ方の手や指の刺し易い部分を防護し、作業性を損なうことなく、形作りを進めることができる。
【図面の簡単な説明】
【００１５】
【図１】本考案に係る指サックの斜視図である。
【図２】本考案に係る指サックの使用状態図である。
【図３】羊毛をニードルを使用して刺し固める態様を示す図である。
【符号の説明】
【００１６】
Ａ：指サック
1；指先保護部
２：指内側保護部
３：保持帯
【図１】
0003136938.tif 000003
【図２】
0003136938.tif 000004
【図３】
0003136938.tif 000005
(57)【要約】【課題】  絵画などを掲げる額縁の形状は、1枚の絵画などしか掲げられず、また絵画などの交換が面倒であった。また、交換用の絵画などの保管スペースも取れなかった。【解決手段】  額縁本体４に仕切り版を設け、かつ、マット５も分割することにより、複数枚の絵画などを掲げることが出来る。額縁の側面２に出し入れ可能の開口部を設け、かつ、絵画などの収納箱を設けることにより、複数の絵画などの収納が可能になり、交換なども容易になる。【選択図】図１
0003136971.tif 000002
【実用新案登録請求の範囲】
【請求項１】
複数の掲示物を収納可能な収納箱と、
側部に開口を有し、前記収納箱を収納可能な額縁本体と、
を具備する額縁。
【請求項２】
前記額縁本体は、前記収納箱を個別に収納するための仕切り版を具備することを特徴とする請求項１記載の額縁。
【請求項３】
掲示物の表面側端部を支持するマットと、
前記掲示物を前記マットと共に挟持して保持する保持板と、
を具備することを特徴とする請求項１ないし２記載の額縁。
【考案の詳細な説明】
【技術分野】
【０００１】
本考案は、絵画、写真、カレンダーの玉等の掲示物を入れて掲げるための額縁に関するものである。
【背景技術】
【０００２】
従来の額縁としては、一枚の絵画などを掲げており、絵画などを交換する場合は、額縁を外して行う（例えば、特許文献１参照）。
【特許文献１】実開平６−２３７７号公報
【考案の開示】
【考案が解決しようとする課題】
【０００３】
しかしながら、以上の技術によれば、複数枚の掲示物などを同時に掲げることが出来ない。また、複数の掲示物などを収納することも出来ない。かつ、掲示物などを交換する場合は、額縁本体を壁などから外して額の枠などを外さなければならない。
【０００４】
そこで、この考案は、複数の掲示物などを同時に掲げられ、複数枚の掲示物などを収納するスペースを持ち、掲示物などを極めて容易に出し入れすることができる額縁を提供することを課題とする。
【課題を解決するための手段】
【０００５】
以上の課題を解決するために、第一考案は、額縁本体内に仕切り版７を作成し、マット５もこれに合わせて配置し、複数の掲示物を飾ることを特徴とする額縁である。
【０００６】
また、第二考案は、掲示物を飾る部分を箱状にすることにより複数の掲示物の収納スペースを設けることを特徴とする額縁である。
【０００７】
また、第三考案は、上記の掲示物の収納箱６を収めるため、額縁の側片に開口部８を設けることにより収納箱６を取り出し易いようにすることを特徴とする額縁である。
【考案の効果】
【０００８】
第一考案、第二考案または第三考案によれば、複数の掲示物を飾るスペースと収納箱を設け、また、額縁側片に開口部を設けることにより、掲示物の交換が極めて容易になり、交換用の複数の掲示物などを額縁の中に収納することが出来る。
【０００９】
また、収納箱正面に保持板を設けたため、収納箱の蓋板が掲げる掲示物を支える役目を果たし、更にマットとの密着性を良くする。
【考案を実施するための最良の形態】
【００１０】
本考案の額縁は、図２に示すように、額縁本体４と収納箱３とからなる。
【００１１】
額縁本体４は、収納箱６を収納するためのもので、図１に示すように、上片部１、下片部３、側片部２によって方形状に形成される。
【００１２】
上片部１、下片部３および側片部２は、一定の幅を有しており、これにより、収納箱６を収納するための空間を形成する。
【００１３】
また、上記の空間は、収納箱を収納するための開口部８を額縁本体の側片に形成すものである。
【００１４】
額縁本体は、本体内部に仕切り版７を設けることにより、上記の空間と開口部８を分割し、複数の収納箱６を収納する。
【００１５】
収納箱６は、複数の掲示物などを収納するためのもので、蓋９と、保持板１０とからなる。
【００１６】
蓋９は、掲示物などの収納物を漏れ出ないように収納箱６を密封するための物であり、収納箱の正面を覆う方形状の板で保持板の内側に挿入される。
【００１７】
保持板１０は、収納箱６正面に蓋９と掲示物とを狭持して保持するために、掲示物が漏れ出ない程度の幅を持ち、両側片正面と下片正面に設けられる。
【００１８】
マット５は、額縁本体４の内側に設けられ掲示物表面を囲むように配置されることにより、掲示物の表面側端部を支持する。
【００１９】
本考案の額縁の素材は、この実施例のものは上質の木材である。ただ、例えば、金属やプラスチック等を素材としても良い。
【００２０】
本考案の額縁は、図２に示した額縁本体の掲示物を飾る部分の表面をガラスや硬化プラスチックなどで出来た透明な材料で覆う事もできる。
【図面の簡単な説明】
【００２１】
【図１】この考案の一実施形態を示す斜視図である。
【図２】この考案の外枠部分と内部に納められる収納箱の正面図である。
【図３】この考案の収納箱を抜いた状態の右側片図である。
【図４】この考案の収納箱を抜いた状態の外枠部分の斜視図である。
【図５】この考案の収納箱と蓋の斜視図である。
【図６】この考案の収納箱の上片図である。
【符号の説明】
【００２２】
１  上片部
２  側片部
３  下片部
４  額縁本体
５  マット
６  収納箱
７  仕切り板
８  開口部
９  蓋
１０  保持板
【図１】
0003136971.tif 000003
【図２】
0003136971.tif 000004
【図３】
0003136971.tif 000005
【図４】
0003136971.tif 000006
【図５】
0003136971.tif 000007
【図６】
0003136971.tif 000008
(57)【要約】【課題】収納時にほとんど見えなくなってしまう財布を、ポケットのかぶせ機能を付けることでファッション性を提供する。【解決手段】財布１の胴体部にかぶせ２を取り付けたことを特徴とする。【選択図】図１
0003136976.tif 000002
【実用新案登録請求の範囲】
【請求項１】
財布１の胴体部に、かぶせ２を取り付けたことを特徴とするポケットかぶせつき財布。
【請求項２】
かぶせ２の横幅は、財布１の胴体部の横幅より大となるように形成された請求項１記載のポケットかぶせつき財布。
【考案の詳細な説明】
【技術分野】
【０００１】
本考案は、従来からある財布の機能にとどまらず、衣服などのポケットのかぶせになるように財布にかぶせを取り付け、ファッション的にも優れ、使用した服にまでおしゃれになる、相乗効果がある財布である。
【背景技術】
【０００２】
従来、財布とポケットのかぶせは別々の物であった。
【考案の開示】
【考案が解決しようとする課題】
【０００３】
これは、次のような欠点があった。従来、財布としての機能はあっても使用時にはポケットに収納されてしまうので、ほとんど見えることがなくファッション性がそこなわれる。本考案は、以上のような欠点を補う為になされたものである。
【課題を解決するための手段】
【０００４】
図１で、財布１の胴体部にかぶせ２を取り付ける。本考案は、以上の構成によりなるポケットかぶせ付き財布である。
【考案の効果】
【０００５】
本考案の財布は、本来の機能を失うことなくポケットのかぶせという新しい機能とファッション性も兼ね備えたという利点がある。
【考案を実施するための最良の形態】
【０００６】
本考案の財布について、図１〜図３に基づいて説明する。
【実施例１】
【０００７】
図１〜図３に示すように、財布１の胴体部にかぶせ２を取り付ける。本考案は、以上の構造でこれを使用するとき、ポケットに財布１を収納してかぶせ２をポケットの外にかぶせることにより、最初からポケットにかぶせがあるように見える財布である。
なお、かぶせ２の横幅は、財布１の胴体部の横幅より大となるように形成されており、これにより、本来の機能を失うことなくポケットのかぶせという新しい機能とファッション性も兼ね備えることができる。
また財布１の胴体部に、かぶせ２を取り付ける方法として、縫製又はカシメにより固定しても良いし、また両者の取り付けをフォック等により着脱自在にしても良い。これにより使用人の好みに応じたかぶせ２を財布へ取り付けることができるので、ファッション性・美観に優れる。
【産業上の利用可能性】
【０００８】
本考案のポケットかぶせつき財布は、本来の機能を失うことなくポケットのかぶせという新しい機能とファッション性も兼ね備えたものであり、産業上利用することができる。
【図面の簡単な説明】
【０００９】
【図１】本考案のポケットかぶせつき財布を示し、ポケットかぶせを閉じた状態を示す図である。
【図２】本考案のポケットかぶせつき財布を示し、ポケットかぶせを開いた状態を示す図である。
【図３】本考案のポケットかぶせつき財布の使用例を示す図である。
【符号の説明】
【００１０】
１    財布
２    ポケットかぶせ
【図１】
0003136976.tif 000003
【図２】
0003136976.tif 000004
【図３】
0003136976.tif 000005
(57)【要約】      （修正有）【課題】大量の加工実施では製造に寄与でき、且つ製品の価値を向上できる椅子の脚部の構造を提供する。【解決手段】椅子の下端に組み立てられた椅子の脚に対し、ローターの受容に対応する支持部の夫々に、その内側の第1セクションの管段を非円形管体（ここでは三角形を実施方式とし）とし、更に緊密に隣接する第2セクションの管段が金属の延伸性を利用し、形状上では円形を呈する管体を変更し、且つ次第に収縮する設計を行う。【選択図】図1
0003136943.tif 000002
【実用新案登録請求の範囲】
【請求項１】
椅子の脚であって、主として椅子の下端に組み立てられた椅子の脚に対し金属管にて外向きに伸ばすように成形された数個の支持部によりローターの組み立てに対応し、その改善は、当該椅子の脚をローターの受容に対応する支持部の夫々に、その内側の第1セクションの管段を非円形の管体とし、更に形状上では緊密に隣接する第2セクションの管段が円形を呈する管体を変更し、且つ次第に収縮する形態とすることにより、大量の加工実施では当該椅子の脚が製造に寄与でき、且つ製品の価値を向上できることを特徴とする椅子の脚。
【請求項２】
当該椅子の脚の外向きに伸びる支持部の夫々は、その第1セクションの非円形管体が、金型により例えば三角形管体の予め設定した形態に成形でき、当該非円形管段の末端から伸びる第2セクションの管段が、ローター・セットにて、回転することにより、その周りに次第に一つの円形管体を呈し、更に次第に外向きに収束するように設定されることを特徴とする請求項1に記載の椅子の脚。
【考案の詳細な説明】
【技術分野】
【０００１】
本考案は、椅子の脚を提供するもので、主として椅子の下端に組み立てられた椅子の脚に対し、ローターの受容に対応する支持部とし、その内側の第1セクションの管段を非円形管体（ここに三角形を実施方式とし）とし、更に緊密に隣接する第2セクションの管段が金属の延伸性を利用し、形状上では円形を呈する管体を変更し、且つ次第に収縮する設計を行うことにより、大量の加工実施では当該椅子の脚が製造に寄与でき、且つ製品の価値を向上できる。
【背景技術】
【０００２】
故に、最近の椅子業界は、その下端に組み立てられた椅子の脚に対し、加工を行い、その分類がおおよそ一体成形のプラスチック製椅子の脚と金属加工の椅子の脚を区分し、これらの椅子の脚に対し、その材質と形状が椅子の脚の設計に基づいて組合せを行う。ここに金属加工の椅子の脚により設計を行い、製造の実施上では、通常は最近の金属椅子の脚が金型により必要な形状に成形し、或いは条鋼金属を折り曲げて溶接し、アイデアが欠け、前者が多段の異なる形状の椅子の脚に加工されれば、多数セットの金型を作成して加工を行う必要があることにより、椅子の脚の製造コストに影響を及ぼし、従って一般な金属の椅子の脚がおおよそ単一の管径を呈する条鋼形状の設計であるため、形状上では全体の椅子の脚が単調で且つその価値を向上できないようになる。
【考案の開示】
【０００３】
つまり本考案は、最近の業界の製造する金属椅子の脚の既存の単一の管体および実施の技術に基づいて他の新たな形態に改善を行うことにより、加工上ではこの種金属椅子の脚が簡便且つ迅速な製造により必要な形状に成形でき、更に一体成形の同一管段上では、異なる形態への変更を行い、この種椅子の加工効率とその完成品の設計価値を向上できることを期待する。
【０００４】
本考案の主要な目的は、椅子の下端に組み立てられた椅子の脚に対し、ローターの受容に対応する支持部の夫々に、その内側の第1セクションの管段を非円形管体とし、更に緊密に隣接する第2セクションの管段が形状上では円形を呈する管体を変更し、且つ次第に収縮する設計を行うことにより、大量の加工実施では当該椅子の脚が製造に寄与でき、且つ製品の価値を向上できる。
【０００５】
本考案の第2の目的は、椅子脚の夫々の支持部の第1セクションの非円形管体が、金型により必要な形状（例えば三角形管体または他の非円形管体）に成形でき、当該非円形管体の末端から伸びる第2セクションの管段が、ローター・セットにて、回転することにより、その周りに次第に一つの円形管体を呈し、更に次第に外向きに収束するように設定されることにより、椅子の脚の加工効率を向上させる。
【０００６】
（実施方式）
図1を参照すると、本考案の設計する椅子の脚は、主として椅子の下端に組み立てられた椅子の脚1に対し金属管により成形され、更に当該椅子の脚1が外向き且つ放射状に伸び、数個の支持部11によりローターの組み立てに対応する。その中でも、椅子の下端に組み立てられた椅子の脚1に対し（図2を参照）、ローターの受容に対応する支持部11の夫々に、その内側の第1セクションの管段が金型により非円形管体12に成形でき（図3を参照し、ここでは三角形管体で実施し、他の非円形管体であってもよい）、更に非円形管体12の末端から伸びる第2セクションの管段が、つまりローター・セットにて、回転することにより、その周辺形状に円形を呈する管体13を変更し、且つ外向き且つ次第に収束するように設計することにより（図4の通り）、大量の加工実施では当該椅子の脚1が製造に寄与でき、且つ製品の価値を向上できる。
【０００７】
以上の設計を経た椅子の脚は、加工の実施および完成品では、例えば下記の利点がある。
【０００８】
1.椅子脚の支持部の夫々は、内側の第1セクションの管段に非円形管体を呈し、更に緊密に隣接する第2セクションの管段が形状上では円形を呈する管体を変更し、且つ次第に収縮することにより、当該椅子の脚がその製品の価値を向上できる。
【０００９】
2.椅子脚の夫々の支持部の第1セクションの非円形管体に対し、金型により必要な形状（例えば三角形管体または他の非円形管体）を成形でき、当該非円形管体の末端から伸びる第2セクションの管段が、つまりローター・セットにて、回転することにより、その周りに次第に一つの円形管体を呈し、更に次第に外向きに収束するように設定されることにより、大量に製造する時に、椅子の脚の加工効率を向上させるように寄与する。
【図面の簡単な説明】
【００１０】
【図１】本考案の椅子脚の斜視図である。
【図２】本考案の椅子脚の平面図である。
【図３】図2のＡ−Ａ断面詳細図である。
【図４】図2のＢ−Ｂ断面詳細図である。
【符号の説明】
【００１１】
1  椅子の脚    
11  支持部
12  非円形管体  
13  円形管体 
【図１】
0003136943.tif 000003
【図２】
0003136943.tif 000004
【図３】
0003136943.tif 000005
【図４】
0003136943.tif 000006
(57)【要約】      （修正有）【課題】普通のしきパッドは、カバー袋に適したクッション材が詰まっていて、凸及び凹形状の調整機能が無く、使用目的によっては不適であり、その欠点を除くことが目的である。【解決手段】調整機能を有するしきパット１を用い、大きく製作したしきパッドカバー袋を巻き込み、体形に合った凸形状及び凹形状を作り、自身の体重による体圧を凸形状で支え分散させる。また、発症する箇所に対しては、凹形状の凹みの空間を形成し、体重による体圧を減少させ、床ずれを防ぐことができる。【選択図】図１
0003136693.tif 000002
【実用新案登録請求の範囲】
【請求項１】
カバー袋地（図１）を巻き込み、凸形状及び凹形状（図２）の調整機能（図３）を有する、しきパッド。
【考案の詳細な説明】
【考案の詳細な説明】
この考案は、しきパットカバー袋を大きく作製して、カバー袋内でクッション材を移動し、カバー袋を巻き込むことで凸形状が固定される。
また、クッション袋の中心部を縫い合わせ、複数の凸形状を作り、カバー袋地を巻き込むことによって、凹形状の凹みの空間が形成される。
よって、これらの調整機能を、しきパッドに活かし、床ずれの要因である自身の体重による体圧を、凸形状及び凹形状で背中全体に分散させ、床ずれを防止する。
また、発症箇所に対しては、凹形状の凹みの空間を作り、体重による体圧を減少させ、床ずれを防げる。
従来の、しきパッドは、カバー袋に適したクッション材が詰まっていて、凸及び凹形状の調整機能が無かった。
本案は、その欠点を除くために考案したもので、それを図面について説明すれば、しきパット袋を大きく作製（図１）して、クッション袋の中心部を縫い合わせ（図２）複数の凸形状を作り、カバー袋地を巻き込むことによって、凸形状は固定される。また、凹形状の凹みの空間（図３）も形成される。
本案は、このような構成であるから、自然な、寝姿勢である仰向きで寝ていても、凸及び凹形状の調整を行えば床ずれの発症を防げる。
したがって、床ずれを防ぐ為に、時間ごとに行う体位変換の必要がなくなった。
【図面の簡単な説明】
【図１】本案の斜視図
【図２】本案の断面図
【図３】本案使用形態の断面図
【符号の説明】
（１）  調整機能を有するしきパット            （２）  クッション材
（３）  しきパットカバー（４）  縫い合わせ    （５）  巻き込んだカバー
（６）  人体の一部      （７）  患    部      （８）  空    間
【図１】
0003136693.tif 000003
【図２】
0003136693.tif 000004
【図３】
0003136693.tif 000005
【手続補正書】
【提出日】平成19年7月5日(2007.7.5)
【手続補正１】
【補正対象書類名】実用新案登録請求の範囲
【補正対象項目名】全文
【補正方法】変更
【補正の内容】
【実用新案登録請求の範囲】
【請求項１】
しきパッド袋の、中心部分を複数箇所縫い合わせ、集積クッション材の移動を制限することによって、凸形状が形成され、且つ、複数の凸形状の間には凹形状の凹みの空間も形成される、しきパッド。
【請求項２】
しきパッド袋布を、巻き込むことによって、凸形状が固定され、且つ、凹形状の凹みの空間も固定されることを特長とする、請求項１記載の、しきバッド。
【手続補正２】
【補正対象書類名】明細書
【補正対象項目名】全文
【補正方法】変更
【補正の内容】
【考案の詳細な説明】
【技術分野】
【０００１】  この考案は、しきパッド袋布を大きく作製して、袋の中心部分を複数箇所縫い合わせ、集積クッション材の移動を制限して、双方から、余分な袋布を巻き込むことによって、複数の凸形状が固定される。
よって、複数の凸形状の間には、凹型状の凹みの空間も形成され固定される。これらの機能を活かした、しきパッドに関するものである。
【背景技術】
【０００２】  従来のしきパッドは、空気圧式円座及びしきバッド袋に適したクッション材が詰まっていて、凸形状の高さ及び凹形状の凹みを固定させる機能が皆無であった。
【課題】
【０００３】  本考案は、その欠点をなくすために、しきパッド袋内で集積クッション材を容易に移動させ、複数の凸形状を固定させることによって、凹形状の凹みの空間をつくることを課題とした。
【課題を解決するための手段】
【０００４】  しきパッド袋内のクッション材の量に対して、袋そのものを大きく作製し、袋内に詰まっている集積クッション材の移動を制限、複数の凸形状を作ることによって、複数の凸形状の間には凹み形状が形成され、その空間を活かすことが最適であることを発見した。
【考案の効果】
【０００５】  本考案は以上のような構成から、これらの機能をしきパッドに活かし、自然な寝姿である仰向きに寝ていても、自身の体重による体圧を複数の凸形状で支え、凹みの空間で体圧を軽減させ、均等に分散させることで、床ずれ防止につながる。そして、炎症患部に対しては、凹形状の凹みの空間を活かし、自身の体重による体圧を軽減させ、血流の回復が図れる。
床ずれ発症の最も大きな要因は、自身の体重による体圧が、肩、腰、肘、踵等の一部分に集中するため、血流が妨げられ、皮膚がただれて組織が壊死し、床ずれを発症する。
現代は、高齢者の人口増加から、寝たきりの方が多くなり、在宅での介護で床ずれを防ぐには、炎症を起こさないよう体位変換を行うことが不可欠。
また、体位変換での横向きに近い体勢は、無理な姿勢なため苦痛を伴う。
特に、老老介護の場合は、介護する方にも体力に衰えが生じていて、時間ごとに行う体位変換は労力を必要とする為、床ずれを防ぐことが困難とされている。
したがって、本考案のしきバッドは、時間ごとに行う体位変換の必要が無くなった。
【図面の簡単な説明】
【０００６】
【符号の説明】
【０００７】    １    調整機能を有するしきパッド
２    集積クッション材
３    しきパッドカバー
４    縫い合わせた箇所
５    巻き込んだしきパッドカバー
６    人体の一部分
７    発症患部
８    凹形状の空間
【手続補正３】
【補正対象書類名】図面
【補正対象項目名】全図
【補正方法】変更
【補正の内容】
【図１】
0003136693.tif 000006
【図２】
0003136693.tif 000007
【図３】
0003136693.tif 000008
(57)【要約】      （修正有）【課題】患者の排泄物や患者自身と接触するステンレス製器具にウイルスやバクテリアが付着しないように、また付着したウイルスやバクテリアは洗浄で除去できる医家用ステンレス器具を製造する。【解決手段】ステンレス製器具の表面を最終的に電解研磨がなされることで、表面の凹凸が、長さ２５０μｍ当たり、０．１μｍ以上０．２μｍ以下になされるとともに、表面のクロム濃度が鉄の０．２６倍以上１．５倍以下になされたステンレスで構成されている医家用ステンレス器具。【選択図】図１
0003136695.tif 000002
【実用新案登録請求の範囲】
【請求項１】
患者の排泄物や患者自身と接触するステンレス製器具の表面を電解研磨する事により、洗浄性や殺菌性を高めたことを特徴とする医家用ステンレス器具。
【考案の詳細な説明】
【技術分野】
【０００１】  本考案は、患者の排泄物や患者自身と接触するステンレス製器具の表面を電解研磨する事により、洗浄性や殺菌性を高めたことを特徴とする医家用ステンレス器具に関するものである。
【背景技術】
【０００２】  病院などにおいて、患者の排泄物や患者自身と接触するステンレス容器の表面処理は従来からバフ研磨による機械的研磨であり、その表面には無数の研削条痕が存在している。その為、大きさが０．０２μｍ〜０．０８μｍのウイルスは、条痕の中に紛れ込み付着するので洗浄しにくく、殺菌薬液とも接触しにくい。
【考案の開示】
【考案が解決しようとする課題】
【０００３】ウイルスやバクテリアなどが患者の排泄物や患者自身と接触するステンレス容器の表面に付着して洗浄や殺菌が困難なため、院内感染などの二次感染が発生する欠点を解決しようとするものである。
【課題を解決するための手段】
【０００４】本考案は患者の排泄物や患者自身と接触するステンレス容器表面の研磨条痕を電解研磨によって除去し、ウイルスやバクテリアが条痕の中に紛れ込み付着するので洗浄しにくく、殺菌薬液とも接触しにくい問題を解決する。
【考案の効果】
【０００５】上述の様に、本考案のステンレス容器の条痕は電解研磨により消失し、なだらかなうねりとなる、ウイルスの大きさと条痕の深さ、電解研磨によるうねりの寸法関係はウイルスの大きさがおおよそ０．０２μｍ〜０，０８μｍで有るのに対し、条痕の深さは０．３μｍ〜０．６μｍでウイルスの大きさの１０倍程度であり、条痕のピッチも砥粒の大きさで決まるのでおおよそ０．３μｍ〜０．６μｍで、ウイルスは容易に条痕の中に紛れ込み、洗浄水はウイルスのはるか上の方を流れるのでウイルスに対する洗浄効果は期待できない。
電解研磨をすると表面のうねりの凹凸はおよそ電解研磨前の１／３の凹凸になり０．１μｍ〜０．２μｍとなる、うねりの波長はおよそ２５０μｍ程度になる。
この寸法関係ではウイルスは隠れるところが無く、表面のうねりの波長がウイルスの大きさの１２５００倍にもなり、洗浄水は容易にウイルスを洗浄することが出来る。更にウイルスとステンレス表面の凹凸の大きさの比較だけではなく、電解研磨の基本的な特性として、ステンレス表面のクロム濃度が通常は鉄の０．２６倍程度であるが電解研磨によりクロムの濃度は鉄の１．５倍程度まで濃縮する、これはステンレスが一層錆びにくいことを意味し、錆の中に隠れるウイルスの存在を不可能とする。
又、ステンレス表面付近の鉄やクロムが全て完全に酸素と結合して、活性を失っているので化学的にもウイルスとの結合力が弱くなっているので、洗浄性は向上する。
【考案の実施するための最良の形態】
【０００６】１）ステンレス素材の吟味
鋼種  ＳＵＳ３１６Ｌ  製法  真空二重溶解材又はＶＯＤ材又はＡＯＤ材
熱処理方法  光輝焼鈍
２）電解研磨前の表面処理。
表面を機械的に研削する、研削方法としてはアメリカ  ３Ｍ社製  トライザクト  ピ    ラミッド研磨材が最適である。
板の加工方法によっては機械的研磨は省略する事が出来る。
３）電解研磨の方法。
電解研磨液はリン酸６０ｗ％、硫酸３０ｗ％  添加剤  アスレスＥＰ２  ５ｗ％
純水  ５ｗ％      温度７０℃      カソード電極材質  ＳＵＳ３１６Ｌ
電流密度  １．２Ａ／平方インチ〜２．４Ａ／平方インチ
電解研磨時間  ５分〜１０分
４）電解研磨前後の脱脂及び洗浄は常識的な範囲で良い。
【実施例】
【０００７】  以下、添付図面に従って一実施例を説明する、図−１は厚さ０．８ｍｍのＳＵＳ３１６Ｌの光輝焼鈍材をプレスして作った膿盆の内外面を３Ｍ社製  トライザクト  ピラミッドで機械的に研磨し、さらに電解研磨したものの正面図である。
図−２はその側面図である。
本考案の実施対象物は上記実施例の膿盆のみならずカテーテルトレイ、医療器具トレイ、便器、汚物缶など患者の排泄物や患者自身に触れる可能性のある全ての器具に実施可能である。
【図面の簡単な説明】
【０００８】
【図１】本考案の一実施例を示す正面図である。
【図２】本考案の一実施例を示す側面図である。
【符号の説明】
【０００９】  １、膿盆
２、内面電解研磨面
３、外面電解研磨面
【図１】
0003136695.tif 000003
【図２】
0003136695.tif 000004
【手続補正書】
【提出日】平成19年7月31日(2007.7.31)
【手続補正１】
【補正対象書類名】実用新案登録請求の範囲
【補正対象項目名】全文
【補正方法】変更
【補正の内容】
【実用新案登録請求の範囲】
【請求項１】
表面の凹凸が、長さ２５０μｍ当たり、０．１μｍ以上０．２μｍ以下になされるとともに、表面のクロム濃度が鉄の０．２６倍以上１．５倍以下になされたステンレスで構成されていることを特徴とする医家用ステンレス器具。
(57)【要約】      （修正有）【課題】食事の度に、臭いの無い清潔な使い捨ての介助用エプロンを着用出来るようにし、介助者も被介助者も食べこぼし等を気にすることなく、食事を楽しめるようにする。【解決手段】縦に２分したビニール袋を素材として、首の後ろで縛り部分１を結び、襟ぐり２を首の部分にあてて着用し、食べこぼしや飲みこぼしを受けられる受け袋３を設け、更に折り返し部分４を設ける事で食べこぼし等が衣服の脇の部分に付着する事を防止した、使い捨て介助エプロン。【選択図】図１
0003136692.tif 000002
【実用新案登録請求の範囲】
【請求項１】
１枚のビニール袋から極めて容易に２部作り出すことが出来る、廉価で且つ実用的な、防水性に優れた使い捨て用の食事介助エプロン。
【考案の詳細な説明】
【考案の詳細な説明】
【考案が解決しようとする課題】
【０００１】  食事の際に介助が必要な人達は、食事をするに於いて、様々な食べこぼしや飲みこぼしをしてしまい、どうしても衣服や寝具、床、その他家具等を汚してしまった。
これまでにも使い捨て用の食事介助エプロンもあったが、従来の使い捨て用の食事介助エプロンは価格面に於いて難があり、食事ごとに使い捨てる事が困難であった。
その為、洗濯しても落ちないような汚れや臭い等が残ってしまい、どうしても食事をする時に気になってしまった。それによって、食事を楽しむ事が出来なかったのである。
【課題を解決する為の手段】
【０００２】  その様な課題を解決する為、何処にでも市販されているようなビニール袋から、使い捨て用の食事介助のエプロンを作り出せるよう、考案したものである。
そして、エプロンの下部に袋部分Ｆを形成する為、食べこぼしをその袋の内側Ｉで受け止められ、衣服の前部や寝具や床、その他家具等を汚す恐れがなくなった。
更にこのエプロンの素材がビニールである事から、防水性にも優れており、その為食べこぼしのみならず、飲料物や液体状の食べ物でも、しっかりと袋部分Ｆにて受け止められる。
また、袋部分Ｆの縁Ｂ’を折り返し、折り返し部分Ｈを形成する事により、エプロンの脇の部分から食べこぼしや飲みこぼしが入り込み、それによって衣服を汚してしまうといったリスクも排除出来たのである。
これによって、どの家庭でも容易且つ廉価に使い捨ての食事介助エプロンが作り出せる様になり、且つ食べこぼしのみならず飲みこぼしをも、しっかりと袋部分Ｆにて受け止められる為、衣服や床、寝具等を汚す事も無く、毎回楽しい食事を楽しめるようになったのである。
【考案の効果】
【０００３】  １枚のビニール袋から２部作り出せる為、非常に廉価である。
その作り方も極めて容易であり、誰でも簡単に作る事が出来る。
更に、ビニール袋に予め楕円状ａ及び直線状ｂの切り口部分を破線にしておけば、尚、容易且つ迅速に作り出す事が出来る。破線ではなく、楕円状の切り口部分ａ及び直線状ｂの切り口部分を予め切り落としておくことも可能である。
そして、エプロンの下部に袋部分Ｆが形成される為、食べ残し等を袋の内部Ｉで受け止められる。更に、素材がビニール袋であるため、防水性に優れており、食べこぼしのみならず、液体状の食べ物や飲料物も、その袋部分Ｆの内部Ｉでしっかりと受け止められる。
また、袋部分Ｆの縁Ｂ’を折り返して折り返し部分Ｈを形成する事により、食べ残し等がエプロンの脇から入り込み、衣服等を汚してしまうといったリスクも排除せしめたのである。
且つ、食事毎にエプロンを使い捨てられる為、洗濯しても落ちないような汚れや臭いを気にすることなく、毎回の食事を楽しめるのである。
大人用としては、４５リットル用のビニール袋を用いればよいが、それより小さな袋からも当然出来るため、子供用食事介助エプロンも作り出す事も可能である。
【図面の簡単な説明】
【図１】食事介助エプロンの正面から見た外観図である。
【図２】４５リットル用のビニール袋の正面から見た外観図である。
【図３】２分した４５リットル用のビニール袋を正面から見た外観図である。
【符号の説明】
Ａ    ４５リットル用のビニール袋の左端
Ｂ    ４５リットル用のビニール袋の中心部
Ｂ’  エプロンの袋部分の縁
Ｃ    ４５リットル用のビニール袋の底部
Ｄ    エプロンの首の後ろで縛る部分
Ｅ    ４５リットル用のビニール袋の右端
Ｆ    エプロンの袋部分
Ｇ    エプロンの前掛け部分
Ｇ’  エプロンの前掛け部分
Ｈ    袋部分を折り返した部分
Ｉ    袋部分の内部
ａ    エプロンの首周り部分
ｂ    エプロンの脇の部分
【図１】
0003136692.tif 000003
【図２】
0003136692.tif 000004
【図３】
0003136692.tif 000005
【手続補正書】
【提出日】平成19年7月17日(2007.7.17)
【手続補正１】
【補正対象書類名】実用新案登録請求の範囲
【補正対象項目名】全文
【補正方法】変更
【補正の内容】
【実用新案登録請求の範囲】
【請求項１】
下部に受け袋３を設け、更に折り返し部分４を設けることにより、食べこぼしや飲みこぼしを受け止められるようにした、ビニール袋を素材とした防水性に優れた使い捨て用の食事介助エプロン。
0003136692.tif 000006
0003136692.tif 000007
0003136692.tif 000008
0003136692.tif 000009
(57)【要約】【課題】  蓄えた水を簡単な操作により高速に放出可能な容器を提供する。【解決手段】  フレーム１０は、環状壁１２および底壁で構成され、折畳できる収容室を備える。その底部に開口を有し、ノズルを設ける。バルブ１６は出口ホース１７及びコントロールバルブ１８を有し、前記ノズルに締め付けられ、水の供給を制御する。薄膜式の水袋又は袋状体３０はフレーム１０の収容室に置き入れられる。袋状体３０はチェンバー３１を有し、入浴又は水泳のために、水や人やペットを収容する。袋状体３０は折畳まれ、フレーム１０の頂部にセットされる。突き刺し装置５０は固定ユニットに設けられ、袋状体３０を突き刺す。前記固定ユニットは前記ノズル又はフレーム１０に取り付けられる。これにより、袋状体３０の内部に蓄えられた水は、殻体５３の孔５４、コントロールバルブ１８および出口ホース１７を通して、外部へ放出される。【選択図】図４
0003136653.tif 000002
【実用新案登録請求の範囲】
【請求項１】
フレーム（１０）と、
フレーム（１０）に入れる袋状体（３０）と、
突き刺し装置（５０）とを備え、
突き刺し装置（５０）は前記フレーム（１０）に締め付けられる固定ユニットと、袋状体（３０）を刺すための突き刺しユニット（５１）とから構成されることを特徴とする容器。
【請求項２】
バルブ（１６）は、前記フレーム（１０）に取り付けられ、水の放出を制御することを特徴とする請求項1に記載の容器。
【考案の詳細な説明】
【技術分野】
【０００１】
本考案は、容器に関するものであり、特に風呂おけ又は水泳プールなどの容器に関する。
【背景技術】
【０００２】
従来の風呂おけ又は水泳プールなどの容器は、通常、プラグだけで構成されていた。しかし、従来の容器では、容器内に蓄えた水を放出するとき、その操作が非常に不便であり、水の放出時間も多くかかった。
【考案の開示】
【考案が解決しようとする課題】
【０００３】
本考案の主な目的は、内部に蓄えられた水を簡単な操作により高速に放出できる容器を提供することにある。
【課題を解決するための手段】
【０００４】
本考案に係る容器の構成は、フレームと、フレームに入れる袋状体と、突き刺し装置とを備える。この突き刺し装置は、フレームに締め付けられる固定ユニットと、袋状体を刺すための突き刺しユニットとを有する。
【考案を実施するための最良の形態】
【０００５】
以下、本考案の実施例を図面に基づいて説明する。
本考案の一実施例による容器を図１から図３に示す。本実施例による容器は、主に、フレーム１０と、フレーム１０に入れる袋状体３０と、突き刺し装置５０とを備える。
フレーム１０は、環状壁１２および底壁１３で構成され、折畳できる収容室１１を備える。その底部に開口１４を有し、ノズル１５を設ける。バルブ１６は出口ホース１７及びコントロールバルブ１８を有し、ノズル１５に締め付けられ、水の供給を制御する。薄膜式の水袋又は袋状体３０はフレーム１０の収容室１１に置き入れられる。袋状体３０はチェンバー３１を有し、入浴又は水泳のために、水や人やペットを収容する。袋状体３０は折畳まれ、フレーム１０の頂部１９にセットされる。
【０００６】
本実施例では、図４に示すように、図２に示す開口１４に突き刺し装置５０が取り付けられる。  
図５および図６に示すように、突き刺し装置５０は、突き刺しユニット５１と固定ユニット５２とを有し、袋状体３０を突き刺す。固定ユニット５２はノズル１５又はフレーム１０に取り付けられる。固定ユニット５２は殻体５３と、少なくとも一枚の突出薄片５５と、平薄片５６とを有する。殻体５３にはいくつかの孔５４が設けられ、この孔５４を通して水が流れる。突出薄片５５は、孔５４が髪の毛に塞がれることを防ぐ。また、平薄片５６は袋状体３０に接し、袋状体３０を押す。
突き刺し装置５０の使用方法は次のとおりである。まず突き刺し装置５０の固定ユニット５２をノズル１５に固定し、突き刺し装置５１で、袋状体３０を内側から突き刺す。風呂おけ又は水泳プールの使用後、コントロールバルブ１８を開く。すると、袋状体３０の内部に蓄えられた水は、殻体５３の孔５４、コントロールバルブ１８および出口ホース１７を通して、外部へ放出される。
【図面の簡単な説明】
【０００７】
【図１】本考案の一実施例による容器を示す斜視図である。
【図２】本考案の一実施例による容器を示す斜視図である。
【図３】図１の３−３線による断面図である。
【図４】本考案の一実施例による容器の開口部を示す断面図である。
【図５】本考案の一実施例による容器の突き刺し装置を示す側面図である。
【図６】図５の６−６線による断面図である。
【符号の説明】
【０００８】
１０：フレーム、１１：収容室、１２：環状壁、１３：底壁、１４：開口、１５：ノズル、１６：バルブ、１７：出口ホース、１８：コントロールバルブ、１９：頂部、３０：袋状体、５０：突き刺し装置、５１：突き刺しユニット、５２：固定ユニット、５４：孔、５５：突出薄片、５６：平薄片
【図１】
0003136653.tif 000003
【図２】
0003136653.tif 000004
【図３】
0003136653.tif 000005
【図４】
0003136653.tif 000006
【図５】
0003136653.tif 000007
【図６】
0003136653.tif 000008